(57)【要約】【課題】カメラ部で撮影した画像が簡単な操作で確認され、撮影範囲の調整が容易なドライブレコーダを提供する。【解決手段】ドライブレコーダ１１は、撮影した画像を、画像データとして携帯端末１２へ出力する。携帯端末１２は、ドライブレコーダ１１から取得した画像に基づいて、ドライブレコーダ１１で撮影された画像と同期した画像を表示部３３に表示する。このように携帯端末１２の表示部３３をドライブレコーダ１１で撮影した画像の確認に利用することにより、ユーザは、手元にある携帯端末１２の表示部３３に表示された画像を参照しつつ、ドライブレコーダ１１の撮影範囲を調整することができる。【選択図】図１
2011151460.tif 000002
【特許請求の範囲】
【請求項１】
車両に搭載され、前記車両の外部または内部の少なくともいずれかを撮影するカメラ部と、
前記カメラ部で撮影した画像を画像データとして外部の携帯端末へ出力する画像データ出力部と、
を備えることを特徴とするドライブレコーダ。
【請求項２】
前記画像データ出力部は、前記カメラ部で撮影した画像を画像データとして前記カメラ部における画像の撮影に同期して前記携帯端末へ出力することを特徴とする請求項１記載のドライブレコーダ。
【請求項３】
車両に搭載され、前記車両の外部または内部の少なくともいずれかを撮影するカメラ部、および前記カメラ部で撮影した画像を画像データとして出力する画像データ出力部を有するドライブレコーダと、
前記ドライブレコーダと別体であり、前記画像データ出力部から出力された画像データを取得するデータ取得部、および前記データ取得部で取得した画像データに基づく画像を表示する表示部を有し、前記カメラ部で撮影した画像を前記表示部に表示する携帯端末と、
前記画像データ出力部と前記携帯端末とを通信可能に接続する通信媒体と、
を備えることを特徴とするドライブレコーダシステム。
【請求項４】
前記画像データ出力部は、前記カメラ部で撮影した画像を画像データとして前記カメラ部における画像の撮影に同期して前記携帯端末へ出力し、
前記携帯端末は、前記カメラ部で撮影した画像を前記表示部に同期して表示することを特徴とする請求項３記載のドライブレコーダシステム。
【請求項５】
車両に搭載され前記車両の外部または内部の少なくともいずれか一方を撮影するドライブレコーダと、前記ドライブレコーダと別体であって前記ドライブレコーダで撮影した画像を表示する表示部を有する携帯端末と、を備えるドライブレコーダシステムにおいて、
前記ドライブレコーダで画像を取得する工程と、
前記ドライブレコーダで取得した画像を前記携帯端末の前記表示部に表示する工程と、
前記表示部に表示された画像を参照して、前記ドライブレコーダの撮影範囲を調整する工程と、
を含むことを特徴とするドライブレコーダシステムの調整方法。
【発明の詳細な説明】
【技術分野】
【０００１】
本発明は、車両の外部または内部の少なくともいずれかの画像を撮影するドライブレコーダ、ドライブレコーダシステムおよびドライブレコーダシステムの調整方法に関する。
【背景技術】
【０００２】
従来、車両の走行状況や偶発的な事故などを記録するためにドライブレコーダが普及しつつある。このドライブレコーダは、例えば車両のフロントガラスの内側に搭載され、運転者の視界に近似した画像を撮影して記録する（ドライブレコーダについて、例えば特許文献１参照）。ドライブレコーダで撮影した画像は、走行状況や事故を確認する際に、必要に応じて再生される。そのため、ドライブレコーダは、撮影した画像を再生する頻度が小さく、撮影した画像を表示する表示部を備えていない。したがって、ドライブレコーダで記録した画像を確認する場合、ドライブレコーダから画像データを記憶した例えば不揮発性メモリなどの記憶装置を取り出し、記憶装置に記憶された画像データをパーソナルコンピュータやテレビなどの固定端末で再生される。
【０００３】
しかしながら、上述の通りドライブレコーダは表示部を備えていない。そのため、ドライブレコーダのカメラ部で撮影する画像、すなわちカメラ部の撮影範囲を確認する場合、ユーザは、ドライブレコーダを車両に搭載して画像を撮影した後、ドライブレコーダから記憶装置を取り出して、外部の固定端末で再生する必要がある。つまり、ユーザは、ドライブレコーダを車両に搭載し、撮影範囲を調整するたびに、ドライブレコーダの撮影範囲を確認するために、記憶装置の着脱と固定端末での再生とを繰り返す必要がある。その結果、ドライブレコーダの撮影範囲の調整は、非常に煩雑であるという問題がある。
【先行技術文献】
【特許文献】
【０００４】
【特許文献１】特開２００８−２１１４４２号公報
【発明の概要】
【発明が解決しようとする課題】
【０００５】
そこで、本発明は、カメラ部で撮影した画像が簡単な操作で確認され、撮影範囲の調整が容易なドライブレコーダを提供することにある。
また、本発明の他の目的は、カメラ部で撮影した画像を携帯端末の表示部に表示することにより、撮影範囲の調整が容易なドライブレコーダシステムおよびその調整方法を提供することにある。
【課題を解決するための手段】
【０００６】
請求項１記載の発明では、カメラ部で撮影された画像は、画像データとして携帯端末へ出力される。例えば携帯電話機などの携帯端末は、普及率が高く、かつ例えば液晶ディスプレイなどの表示部を備えている。そのため、携帯端末の表示部をカメラ部で撮影した画像の確認に利用することにより、ユーザは、表示部に表示された画像、すなわちカメラ部における撮影画像に対応する画像を参照しつつ、カメラ部の撮影範囲を調整可能となる。したがって、カメラ部で撮影した画像を簡単な操作で確認することができ、撮影範囲を容易に調整することができる。
【０００７】
請求項２記載の発明では、画像データ出力部は、カメラ部で撮影した画像をその撮影と同期して携帯端末へ出力する。そのため、携帯端末の表示部には、カメラ部で撮影した画像が同期して表示される。これにより、表示部に表示された画像を参照しつつ、カメラ部の撮影範囲を容易に調整することができる。
【０００８】
請求項３記載の発明では、ドライブレコーダのカメラ部で撮影された画像は、画像データ出力部から携帯端末へ画像データとして出力される。携帯端末は、データ取得部で取得した画像データに基づく画像を表示部に表示する。上述のように携帯電話機などの携帯端末は、普及率が高く、例えば液晶ディスプレイなどの表示部を備えている。そのため、ドライブレコーダから携帯端末へ画像データを出力することにより、画像データを取得した携帯電話機は表示部にカメラ部における撮影画像に対応する画像を表示する。そのため、携帯端末の表示部をカメラ部で撮影した画像の確認に利用することにより、ユーザは、携帯端末の表示部に表示された画像、すなわちカメラ部における撮影画像に対応する画像を参照しつつ、カメラ部の撮影範囲を調整可能となる。したがって、カメラ部の撮影範囲を容易に調整することができる。
【０００９】
請求項４記載の発明では、画像データ出力部は、カメラ部で撮影した画像をその撮影と同期して携帯端末へ出力する。そして、携帯端末は、カメラ部で撮影した画像をその撮影と同期して表示部に表示する。そのため、携帯端末の表示部には、カメラ部で撮影した画像が同期して、すなわちリアルタイムで表示される。したがって、表示部に表示された画像を参照しつつ、カメラ部の撮影範囲を容易に調整することができる。
【００１０】
請求項５記載の発明では、ドライブレコーダで画像を取得すると、その画像は携帯端末の表示部に表示される。上述のように携帯電話機などの携帯端末は、普及率が高く、例えば液晶ディスプレイなどの表示部を備えている。そのため、ドライブレコーダで撮影した画像を携帯端末の表示部に表示することにより、携帯端末の表示部はカメラ部で撮影した画像の確認に利用される。したがって、カメラ部の撮影範囲を容易に調整することができる。
【図面の簡単な説明】
【００１１】
【図１】第１実施形態によるドライブレコーダシステムを搭載した車両の構成を示す模式図
【図２】第１実施形態によるドライブレコーダシステムの電気的な構成を示すブロック図
【図３】第１実施形態によるドライブレコーダシステムの調整手順を示す概略図
【図４】第２実施形態によるドライブレコーダシステムを搭載した車両の構成を示す模式図
【図５】第２実施形態によるドライブレコーダシステムの電気的な構成を示すブロック図
【図６】第３実施形態によるドライブレコーダシステムの電気的な構成を示すブロック図
【発明を実施するための形態】
【００１２】
以下、本発明の複数の実施形態を図面に基づいて詳細に説明する。なお、複数の実施形態において実質的に同一の構成部位には同一の符号を付し、説明を省略する。
（第１実施形態）
第１実施形態によるドライブレコーダシステムを図１および図２に示す。ドライブレコーダシステム１０は、ドライブレコーダ１１および携帯端末１２を備えている。ドライブレコーダ１１は、図１に示すように車両１３に搭載されている。ドライブレコーダ１１は、例えば車両１３のフロントガラス１４の内側などに搭載され、車両１３の前方外部および車両１３の内部など、車両１３の外部または内部の少なくともいずれかの画像を撮影する。なお、ドライブレコーダ１１は、車両１３の前方だけでなく、側方や後方の外部や内部を撮影するものでもよい。
【００１３】
ドライブレコーダ１１は、図２に示すようにカメラ部２１、信号処理部２２、記録部２３および画像データ出力部２４を有している。カメラ部２１は、例えばＣＣＤやＣＭＯＳなどの撮像素子を有しており、撮影した画像に基づく電気信号を出力する。カメラ部２１は、例えばＮＴＳＣ規格の信号を生成し、信号処理部２２へ出力する。信号処理部２２は、デジタル変換部２５および符号化部２６などから構成されている。デジタル変換部２５は、カメラ部２１から出力されたＮＴＳＣ信号をデジタルデータへ変換する。符号化部２６は、デジタル変換部２５で生成されたデジタルデータから所定のフォーマットの動画の画像データを生成する。符号化部２６は、例えばＭＰＥＧ−１、ＭＰＥＧ−４あるいはＨ．２６４など周知の各種動画フォーマットの画像データを生成する。
【００１４】
記録部２３は、取り外し可能なＨＤＤなどの記憶媒体を有しており、デジタル変換部２５で生成されたデジタルデータを記録する。記録部２３は、符号化部２６で生成された画像データを記録してもよい。記録部２３は、記録容量に限りがあるため、記録するデータが記録容量を超えると、最も古いデータを消去しながら新たなデータを記録する。画像データ出力部２４は、例えばＵＳＢなど標準化規格に合致する有線のインターフェイス２７を有している。符号化部２６で生成された画像データは、画像データ出力部２４のインターフェイス２７を経由して外部の携帯端末１２へ出力される。
【００１５】
携帯端末１２は、例えば携帯電話機である。携帯端末１２は、携帯電話機に限らず、ＰＤＡ（Personal Digital Assistant）などドライブレコーダ１１と通信可能な情報端末であればいずれであってもよい。携帯端末１２は、データ取得部３１、画像生成部３２、表示部３３、入力部３４、カードスロット３５および制御部３６を備えている。データ取得部３１は、例えばＵＳＢなどのドライブレコーダ１１と同一の標準化規格に合致する有線のインターフェイス３７を有している。ドライブレコーダ１１の画像データ出力部２４と携帯端末１２のデータ取得部３１との間は、インターフェイス２７とインターフェイス３７との間のＵＳＢケーブル４０によって有線で通信可能に接続されている。ＵＳＢケーブル４０は、特許請求の範囲の通信媒体に相当する。
【００１６】
画像生成部３２は、データ取得部３１でドライブレコーダ１１から取得した画像データに基づいて、画像を生成する。表示部３３は、例えば液晶ディスプレイや有機ＥＬ（Electro Luminescence）ディスプレイなどを有しており、画像生成部３２で生成された画像を可視的に表示する。入力部３４は、例えば携帯電話機のキースイッチや回転スイッチなどを有している。これらキースイッチや回転スイッチなどを操作することにより、入力部３４からは所定の指示が入力される。
【００１７】
カードスロット３５は、例えば「microＳＤ（商標）」規格など、携帯端末１２および外部のパーソナルコンピュータの双方で読み書き可能なメモリカード３８が装着される。カードスロット３５は、装着されたメモリカード３８から各種のソフトウェアやデータを読み取ったり、これらを記録する。制御部３６は、例えば図示しないＣＰＵ、ＲＯＭおよびＲＡＭを有するマイクロコンピュータで構成されており、ＲＯＭに記憶されているコンピュータプログラムにしたがって携帯端末１２の各部を制御する。
【００１８】
次に、上記の構成によるドライブレコーダシステム１０の調整手順について図３に基づいて説明する。
ユーザは、ドライブレコーダ１１を車両１３に取り付けると、ドライブレコーダ１１と携帯端末１２とを接続する（Ｓ１０１）。具体的には、ユーザは、ドライブレコーダ１１を車両１３の所定位置に取り付けた後、ドライブレコーダ１１の画像データ出力部２４のインターフェイス２７と携帯端末１２のデータ取得部３１のインターフェイス３７との間をＵＳＢケーブル４０で接続する。この場合、ドライブレコーダ１１は、撮影範囲を調整可能な程度に車両１３に仮固定されている。そして、ユーザは、ドライブレコーダ１１の電源を「オン」する。次に、ユーザは、携帯端末１２を、ドライブレコーダ１１のカメラ部２１で撮影した画像を表示部３３に表示する画像表示モードに設定する（Ｓ１０２）。ユーザは、携帯端末１２の入力部３４を操作することにより、携帯端末１２の表示部３３を画像表示モードに設定する。
【００１９】
ここで、携帯端末１２を利用してドライブレコーダ１１で撮影した画像を表示部３３に表示する場合、携帯端末１２は所定のアプリケーションソフトウェアを必要とする。すなわち、携帯端末１２において所定のアプリケーションソフトウェアを実行することにより、携帯端末１２の表示部３３はドライブレコーダ１１で撮影した画像を表示する表示部として機能する。携帯端末１２として携帯電話機を利用する場合、携帯端末１２は携帯電話網との間で通信可能である。そこで、アプリケーションソフトウェアは、この携帯電話網に接続するサーバに記憶しておく。これにより、ユーザは、携帯電話網を利用してサーバから携帯端末１２へ必要なアプリケーションソフトウェアをダウンロードすることができる。また、携帯端末１２としてＰＤＡや小型のパーソナルコンピュータを利用する場合、ユーザは、携帯電話機と同様にインターネットなどの通信網を利用して、必要なアプリケーションソフトウェアをダウンロードすることができる。さらに、携帯端末１２として携帯電話機を利用する際に、携帯電話網を利用することによりパケット利用料など付加的な料金の発生を回避する場合、インターネットを利用してパーソナルコンピュータでアプリケーションソフトウェアをダウンロードしてもよい。この場合、パーソナルコンピュータでダウンロードしたアプリケーションソフトウェアは、例えば「microＳＤ（商標）」規格など、パーソナルコンピュータおよび携帯電話機の双方で読み書き可能なメモリカード３８に記録する。そして、アプリケーションソフトウェアを記録したメモリカード３８を携帯端末１２で読み取ることにより、必要なアプリケーションソフトウェアを携帯端末１２で実行することができる。
【００２０】
取得したアプリケーションソフトウェアを携帯端末１２で実行させることにより、携帯端末１２の表示部３３を画像表示モードに切り替えると、ユーザは、表示部３３にドライブレコーダ１１で撮影した画像が表示されていることを確認する（Ｓ１０３）。ドライブレコーダ１１と携帯端末１２との間に通信が確立している場合、携帯端末１２の表示部３３にはドライブレコーダ１１のカメラ部２１で撮影した画像がほぼ同期して表示される。ユーザは、このように表示部３３にドライブレコーダ１１で撮影した画像が表示されていることを確認すると、この表示部３３に表示されている画像を参考にドライブレコーダ１１の撮影範囲を調整する（Ｓ１０４）。具体的には、仮固定されているドライブレコーダ１１を任意の方向に移動させることにより、表示部３３に表示される画像はドライブレコーダ１１の移動に応じて変化する。そこで、ユーザは、表示部３３に表示されている画像を参考にしながら、ドライブレコーダ１１で撮影する画像が所望の撮影範囲となるようにドライブレコーダ１１の位置を微調整する。
【００２１】
表示部３３に表示されている画像を参考に、ドライブレコーダ１１が所望の位置に調整されると、ユーザはドライブレコーダ１１を本固定する（Ｓ１０５）。ドライブレコーダ１１は、Ｓ１０１において撮影範囲を調整可能な程度に仮固定されている。そこで、Ｓ１０４において所望の位置に調整されたドライブレコーダ１１は、その撮影範囲が変化しないように本固定される。ドライブレコーダ１１の固定が完了すると、ユーザは、ドライブレコーダ１１と携帯端末１２との接続を切断する（Ｓ１０６）。具体的には、ユーザは、ドライブレコーダ１１の電源を「オフ」し、ＵＳＢケーブル４０をドライブレコーダ１１および携帯端末１２から取り外す。これにより、ドライブレコーダ１１の撮影範囲の調整は完了する。
【００２２】
以上説明したように、第１実施形態のドライブレコーダ１１は、カメラ部２１で撮影した画像を画像データとして携帯端末１２へ出力する。携帯端末１２の表示部３３をカメラ部２１で撮影した画像の確認に利用することにより、ユーザは、表示部３３に表示された画像、すなわちカメラ部２１における撮影画像に対応する画像を参照しつつ、カメラ部２１の撮影範囲を調整可能となる。したがって、カメラ部２１で撮影した画像を簡単な操作で確認することができ、撮影範囲を容易に調整することができる。
また、第１実施形態のドライブレコーダ１１は、画像データ出力部２４から携帯端末１２へカメラ部２１で撮影した画像をその撮影と同期して出力する。そのため、携帯端末１２の表示部３３には、カメラ部２１で撮影した画像が同期して表示される。これにより、表示部３３に表示された画像を参照しつつ、カメラ部２１の撮影範囲を容易に調整することができる。
【００２３】
第１実施形態のドライブレコーダシステム１０は、ドライブレコーダ１１のカメラ部２１で撮影した画像を、画像データ出力部２４から携帯端末１２へ画像データとして出力する。携帯端末１２は、データ取得部３１で取得した画像データに基づく画像を表示部３３に表示する。携帯電話機などの携帯端末１２は、普及率が高く、かつ表示部３３を備えている。そのため、ドライブレコーダ１１から携帯端末１２へ画像データを出力することにより、画像データを取得した携帯端末１２は表示部３３にカメラ部２１における撮影画像に対応する画像を表示する。携帯端末１２の表示部３３をカメラ部２１で撮影した画像の確認に利用することにより、ユーザは、携帯端末１２の表示部３３に表示された画像、すなわちカメラ部２１における撮影画像に対応する画像を参照しつつ、カメラ部２１の撮影範囲を調整可能となる。したがって、カメラ部２１の撮影範囲を容易に調整することができる。
【００２４】
また、第１実施形態のドライブレコーダシステム１０は、画像データ出力部２４は、カメラ部２１で撮影した画像をその撮影と同期して携帯端末１２へ出力する。そして、携帯端末１２は、カメラ部２１で撮影した画像をその撮影と同期して表示部３３に表示する。そのため、携帯端末１２の表示部３３には、カメラ部２１で撮影した画像が同期して、すなわちリアルタイムで表示される。したがって、表示部３３に表示された画像を参照しつつ、カメラ部２１の撮影範囲を容易に調整することができる。
【００２５】
さらに、第１実施形態のドライブレコーダシステム１０の場合、ドライブレコーダ１１のカメラ部２１による撮影範囲を確認するとき、表示される画像に高い解像度は要求されない。ドライブレコーダ１１のカメラ部２１による撮影範囲の確認は、その範囲が特定できれば足り、鮮明な画像を必要としない。そのため、ドライブレコーダ１１および携帯端末１２において同期して画像を表示する場合でも、解像度の高い画像、すなわち画像処理や通信の負荷の大きなデータを取り扱う必要がない。したがって、特別な機能などを追加することなく、既存のドライブレコーダ１１や携帯端末１２の機能や機器環境を利用することができる。
【００２６】
（第２実施形態）
第２実施形態によるドライブレコーダシステムを図４および図５に示す。
第２実施形態のドライブレコーダシステム１０の場合、図４および図５に示すようにドライブレコーダ１１と携帯端末１２との間は無線４１で通信可能に接続されている。すなわち、ドライブレコーダ１１の画像データ出力部２４のインターフェイス２７、および携帯端末１２のデータ取得部３１のインターフェイス３７は、無線４１の通信規格に対応している。すなわち、第２実施形態の場合、無線４１は、特許請求の範囲の通信媒体に相当する。携帯端末１２として携帯電話機を利用する場合、特に３Ｇ規格以降の携帯電話機は、標準的な無線通信機能として「Bluetooth（登録商標）」をサポートしている機種が多い。そこで、このような普及率の高い無線通信規格を利用してドライブレコーダ１１と携帯端末１２との間を通信可能に接続することにより、第１実施形態の有線での通信と同様にドライブレコーダ１１で撮影した画像は携帯端末１２の表示部３３で確認可能となる。
以上のように、第２実施形態のドライブレコーダシステム１０の場合、有線での通信に代えてドライブレコーダ１１と携帯端末１２との間を無線４１で接続する構成としてもよい。なお、無線４１は、説明したような「Bluetooth」に限らず、例えば「無線ＬＡＮ」など他の無線通信媒体を利用してもよい。
【００２７】
（第３実施形態）
第３実施形態によるドライブレコーダシステムを図６に示す。
第３実施形態のドライブレコーダシステム１０の場合、図６に示すようにドライブレコーダ１１と携帯端末１２との間は、第１実施形態のような有線または第２実施形態のような無線に代えて、不揮発性のメモリカード４５を利用してデータのやり取りを行っている。すなわち、第３実施形態の場合、メモリカード４５は、特許請求の範囲の通信媒体に相当する。上述のように、携帯端末１２として携帯電話機を用いる場合、バックアップ用の記録装置として「microＳＤ」規格などの不揮発性のメモリカード４５が利用されている。そこで、ドライブレコーダ１１の画像データ出力部２４に、このメモリカード４５を読み書き可能なカードスロット４６を設けてもよい。これにより、ドライブレコーダ１１と携帯端末１２との間は、不揮発性のメモリカード４５を経由してデータの交換が行われる。
【００２８】
第３実施形態の場合、ドライブレコーダ１１のカメラ部２１で撮影された画像は、所定の処理が施された画像データが作成された後、カードスロット４６において画像データとしてメモリカード４５に記録される。ユーザは、画像データが記録されたメモリカード４５を携帯端末１２のカードスロット３５で読み取り、画像データを再生する。これにより、ユーザは、時期的なずれは生じるもののドライブレコーダ１１で撮影された画像を手元の携帯端末１２で確認しつつ、ドライブレコーダ１１の撮影範囲を調整する。
以上のように、第３実施形態の場合、第１実施形態や第２実施形態に比較して画像のリアルタイム性には欠けるものの、ドライブレコーダ１１で撮影した画像は手元の携帯端末１２で確認可能である。したがって、カメラ部２１で撮影した画像を簡単な操作で確認することができ、撮影範囲を容易に調整することができる。
【００２９】
以上説明した本発明は、上記実施形態に限定されるものではなく、その要旨を逸脱しない範囲で種々の実施形態に適用可能である。例えば、記録媒体は、例示したものに限らず、その他の半導体メモリや磁気ディスクなどでもよい。
【符号の説明】
【００３０】
図面中、１０はドライブレコーダシステム、１１はドライブレコーダ、１２は携帯端末、１３は車両、１４はフロントガラス、２１はカメラ部、２４は画像データ出力部、３１はデータ取得部、３３は表示部、４０はケーブル（通信媒体）、４１は無線（通信媒体）、４５はメモリカード（通信媒体）を示す。
【図１】
2011151460.tif 000003
【図２】
2011151460.tif 000004
【図３】
2011151460.tif 000005
【図４】
2011151460.tif 000006
【図５】
2011151460.tif 000007
【図６】
2011151460.tif 000008